(57)【要約】【課題】ビームを偏向して被走査面の走査を行う光偏向装置に備えられ、回転多面鏡を有する回転体であって、回転多面鏡の汚れや曇りを低減可能な回転体、これを有するかかる光偏向装置、これを有する光走査装置、これを有する複写機、ファクシミリ、プリンタ等の画像形成装置の提供。【解決手段】回転多面鏡１１７ａ、１１７ｂと、回転多面鏡１１７ａ、１１７ｂとともに回転すると表面部分が負圧となる負圧面１４１を備え、回転多面鏡１１７ａ、１１７ｂとともに回転するときに負圧面１４１において集塵を行うための集塵部１４０とを有する回転体１０１を用いる。【選択図】図５
2011107276.tif 000002
【特許請求の範囲】
【請求項１】
回転多面鏡と、
この回転多面鏡とともに回転すると表面部分が負圧となる負圧面を備え、同回転多面鏡とともに回転するときに前記負圧面において集塵を行うための集塵部とを有する回転体。
【請求項２】
請求項１記載の回転体において、
前記集塵部は、１つ以上の凸部または凹部によって形成されていることを特徴とする回転体。
【請求項３】
請求項１または２記載の回転体において、
前記負圧面を、前記回転多面鏡の頂部近傍に位置する部分を有するように設けたことを特徴とする回転体。
【請求項４】
請求項１ないし３の何れか１つに記載の回転体において、
前記集塵部は、この回転体の回転軸方向から見て前記負圧面が辺をなす多角形状であるとともに、その回転軸が同回転多面鏡の回転軸と一致していることを特徴とする回転体。
【請求項５】
請求項４記載の回転体において、
前記集塵部を、前記回転軸方向から見て前記回転多面鏡より小さく、同回転多面鏡と相似形状をなし、この回転体の回転方向において同回転多面鏡と同位相となるように設けたことを特徴とする回転体。
【請求項６】
請求項１ないし５の何れか１つに記載の回転体において、
前記負圧面の表面を電気抵抗率が１×１０１２Ωｍ以上の絶縁材料で形成したことを特徴とする回転体。
【請求項７】
請求項６記載の回転体において、
前記絶縁材料が、フッ素樹脂であることを特徴とする回転体。
【請求項８】
請求項１ないし７の何れか１つに記載の回転体を有し、この回転体の回転により、前記回転多面鏡に入射するビームを偏向して被走査面の走査を行う光偏向装置。
【請求項９】
請求項８記載の光偏向装置と、前記ビームの光源と、この光源からのビームが進入する、前記回転多面鏡を含む光学系とを有し、前記回転体の回転により、前記光源からの前記ビームを、前記光学系によって被走査面に導いて同被走査面の走査を行う光走査装置。
【請求項１０】
請求項９記載の光走査装置において、前記光偏向装置に向けて空気を流入させる、塵埃に対するフィルタ付きの空気流入口を有することを特徴とする光走査装置。
【請求項１１】
請求項９又は１０記載の光走査装置と、前記被走査面を構成し前記走査によって潜像を形成される像担持体とを有する画像形成装置。
【請求項１２】
請求項１１記載の画像形成装置において、前記像担持体に担持されるトナーは、ワックス微粒子が分散されていることを特徴とする画像形成装置。
【発明の詳細な説明】
【技術分野】
【０００１】
本発明は、ビームを偏向して被走査面の走査を行う光偏向装置に備えられ、回転多面鏡を有する回転体、これを有するかかる光偏向装置、これを有する光走査装置、これを有する複写機、ファクシミリ、プリンタ等の画像形成装置に関する。
【背景技術】
【０００２】
かかる光走査装置（たとえば、〔特許文献１〕〜〔特許文献７〕参照）においては、かかる回転体の回転駆動のために発生する熱の影響で、かかる光偏向装置周辺を中心に温度が上昇し、光走査装置の筐体内に温度の高低差による温度分布が発生する。かかる温度の高低差、温度分布は、光走査装置に備えられた光学系の形状や位置の変動要因となり、ビームの結像位置ずれやこれに伴う画像の劣化を生じるため、問題である。
【０００３】
そこで、光走査装置を冷却する技術として、光走査装置の筐体に放熱手段を設け、熱伝導によって光走査装置を冷却する技術（たとえば、〔特許文献１〕参照）、光走査装置の筐体内に外気を導入し、空気による熱交換によって光走査装置を冷却する技術（たとえば、〔特許文献２〕、〔特許文献３〕参照）が提案されている。これらの技術を比較すると、冷却効率が高い点で、後者の技術の方が優れている。なお、後者の技術において、回転多面鏡周辺で循環流が発生すると、筐体内への十分な外気の流入が得られず、筐体外への空気の排出及びこれによる冷却効果が十分に得られないことが知られている。
【０００４】
しかしながら、後者の技術では、筐体内に、空気とともに塵埃等が流入し、この塵埃が回転多面鏡に付着して回転多面鏡を汚して曇らせ、光学性能が低下するという問題がある。回転多面鏡に付着する成分としては、塵埃の他、近年の画像形成装置において環境負荷を低減するために用いられている低融点トナー中に分散されている、低温で溶けるワックス微粒子がある。なお塵埃等が回転多面鏡の光学性能を低下させる問題は、回転多面鏡周辺で循環流が発生すると生じやすい。
【０００５】
そこで、同技術においては、空気の流入口に塵埃に対するフィルタを用いることが提案されている（たとえば、〔特許文献２〕、〔特許文献３〕参照）。ところが、集塵効率が高いフィルタを使用すると、筐体内への空気の流入が妨げられ、圧力損失が大きくなり、冷却効率が低下しまう。かといって、冷却効率を優先すると、圧力損失の小さいフィルタを使うこととなり、集塵効率が低下し、回転多面鏡の汚れ、曇りが短期間で発生することとなる。このように、外気導入による冷却技術では、冷却効果と回転多面鏡の汚れや曇りとはトレードオフの関係にある。
【０００６】
回転多面鏡の汚れや曇りの問題は、外気導入を行わないタイプの光走査装置においても、筐体の隙間から入り込んだ塵埃等や、回転体の軸や軸受の磨耗粉が、回転多面鏡に付着することによって生じることが知られており、このような問題への対策として、回転体の周面に集塵皮膜を形成する技術（たとえば、〔特許文献４〕参照）が提案されている。
【０００７】
なお、回転体に形成する皮膜に関連して、回転多面鏡の光学特性向上等を目的として回転多面鏡表面にＳｉＯ２等による保護膜を形成する技術（たとえば、〔特許文献５〕、〔特許文献６〕参照）が提案されているが、たとえばＳｉＯ２による保護膜（たとえば、〔特許文献５〕参照）は、空気中の塵埃、ワックス微粒子を吸着するため、回転多面鏡が著しく汚れるという問題がある。
【発明の概要】
【発明が解決しようとする課題】
【０００８】
回転多面鏡の汚れや曇りの問題への対策として、回転体の周面に集塵皮膜を形成する技術は有効である。しかし、回転多面鏡の汚れや曇りの問題は、回転多面鏡の回転によって生じる回転多面鏡表面の圧力低下により筐体内の塵埃等がこの圧力低下した回転多面鏡表面に付着することによっても生じることが、発明者の鋭意研究により明らかとなった。よって、かかる原因によって生じる回転多面鏡の汚れや曇りの問題についても対策を講じることが求められる。
【０００９】
本発明は、ビームを偏向して被走査面の走査を行う光偏向装置に備えられ、回転多面鏡を有する回転体であって、回転多面鏡の汚れや曇りを低減可能な回転体、これを有するかかる光偏向装置、これを有する光走査装置、これを有する複写機、ファクシミリ、プリンタ等の画像形成装置に関する。
【課題を解決するための手段】
【００１０】
上記目的を達成するため、請求項１記載の発明は、回転多面鏡と、この回転多面鏡とともに回転すると表面部分が負圧となる負圧面を備え、同回転多面鏡とともに回転するときに前記負圧面において集塵を行うための集塵部とを有する回転体にある。
【００１１】
請求項２記載の発明は、請求項１記載の回転体において、前記集塵部は、１つ以上の凸部または凹部によって形成されていることを特徴とする。
【００１２】
請求項３記載の発明は、請求項１または２記載の回転体において、前記負圧面を、前記回転多面鏡の頂部近傍に位置する部分を有するように設けたことを特徴とする。
請求項４記載の発明は、請求項１ないし３の何れか１つに記載の回転体において、前記集塵部は、この回転体の回転軸方向から見て前記負圧面が辺をなす多角形状であるとともに、その回転軸が同回転多面鏡の回転軸と一致していることを特徴とする。
【００１３】
請求項５記載の発明は、請求項４記載の回転体において、前記集塵部を、前記回転軸方向から見て前記回転多面鏡より小さく、同回転多面鏡と相似形状をなし、この回転体の回転方向において同回転多面鏡と同位相となるように設けたことを特徴とする。
【００１４】
請求項６記載の発明は、請求項１ないし５の何れか１つに記載の回転体において、前記負圧面の表面を電気抵抗率が１×１０１２Ωｍ以上の絶縁材料で形成したことを特徴とする。
【００１５】
請求項７記載の発明は、請求項６記載の回転体において、前記絶縁材料が、フッ素樹脂であることを特徴とする。
【００１６】
請求項８記載の発明は、請求項１ないし７の何れか１つに記載の回転体を有し、この回転体の回転により、前記回転多面鏡に入射するビームを偏向して被走査面の走査を行う光偏向装置にある。
【００１７】
請求項９記載の発明は、請求項８記載の光偏向装置と、前記ビームの光源と、この光源からのビームが進入する、前記回転多面鏡を含む光学系とを有し、前記回転体の回転により、前記光源からの前記ビームを、前記光学系によって被走査面に導いて同被走査面の走査を行う光走査装置にある。
【００１８】
請求項１０記載の発明は、請求項９記載の光走査装置において、前記光偏向装置に向けて空気を流入させる、塵埃に対するフィルタ付きの空気流入口を有することを特徴とする。
【００１９】
請求項１１記載の発明は、請求項９又は１０記載の光走査装置と、前記被走査面を構成し前記走査によって潜像を形成される像担持体とを有する画像形成装置にある。
【００２０】
請求項１２記載の発明は、請求項１１記載の画像形成装置において、前記像担持体に担持されるトナーは、ワックス微粒子が分散されていることを特徴とする。
【発明の効果】
【００２１】
本発明は、回転多面鏡と、この回転多面鏡とともに回転すると表面部分が負圧となる負圧面を備え、同回転多面鏡とともに回転するときに前記負圧面において集塵を行うための集塵部とを有する回転体にあるので、負圧面に塵埃等を吸着し、塵埃等による回転多面鏡の汚れや曇りを低減可能であり、回転多面鏡の反射率低下を経時にわたって抑制ないし防止し、経時にわたって良好な偏向、光走査、画像形成に寄与することが可能な回転体を提供することができる。
【００２２】
前記集塵部は、１つ以上の凸部または凹部によって形成されていることとすれば、かかる凸部または凹部によって形成された負圧面に塵埃等を吸着し、塵埃等による回転多面鏡の汚れや曇りを低減可能であり、回転多面鏡の反射率低下を経時にわたって抑制ないし防止し、経時にわたって良好な偏向、光走査、画像形成に寄与することが可能な回転体を提供することができる。
【００２３】
前記負圧面を、前記回転多面鏡の頂部近傍に位置する部分を有するように設けたこととすれば、負圧面の、回転体の回転時における移動速度を大きくし圧力低下度が高まり、これによって負圧面に効率よく塵埃等を吸着し、塵埃等による回転多面鏡の汚れや曇りをより低減可能であり、回転多面鏡の反射率低下を経時にわたって抑制ないし防止し、経時にわたってより良好な偏向、光走査、画像形成に寄与することが可能な回転体を提供することができる。
【００２４】
前記集塵部は、この回転体の回転軸方向から見て前記負圧面が辺をなす多角形状であるとともに、その回転軸が同回転多面鏡の回転軸と一致していることとすれば、集塵部を比較的容易に形成することができるとともに、負圧面に塵埃等を吸着し、塵埃等による回転多面鏡の汚れや曇りを低減可能であり、回転多面鏡の反射率低下を経時にわたって抑制ないし防止し、経時にわたって良好な偏向、光走査、画像形成に寄与することが可能な回転体を提供することができる。
【００２５】
前記集塵部を、前記回転軸方向から見て前記回転多面鏡より小さく、同回転多面鏡と相似形状をなし、この回転体の回転方向において同回転多面鏡と同位相となるように設けたこととすれば、集塵部を比較的容易に形成することができるとともに、負圧面に効率的に塵埃等を吸着し、塵埃等による回転多面鏡の汚れや曇りをより低減可能であり、回転多面鏡の反射率低下を経時にわたって抑制ないし防止し、経時にわたってより良好な偏向、光走査、画像形成に寄与することが可能な回転体を提供することができる。
【００２６】
前記負圧面の表面を電気抵抗率が１×１０１２Ωｍ以上の絶縁材料で形成したこととすれば、負圧面を帯電し易くして負圧面に効率的に塵埃等を吸着し、塵埃等による回転多面鏡の汚れや曇りをより低減可能であり、回転多面鏡の反射率低下を経時にわたって抑制ないし防止し、経時にわたってより良好な偏向、光走査、画像形成に寄与することが可能な回転体を提供することができる。
【００２７】
前記絶縁材料が、フッ素樹脂であることとすれば、負圧面を帯電し易くするとともに帯電量を大きくなり得るため、負圧面により効率的に塵埃等を吸着し、塵埃等による回転多面鏡の汚れや曇りをさらに低減可能であり、回転多面鏡の反射率低下を経時にわたって抑制ないし防止し、経時にわたってさらに良好な偏向、光走査、画像形成に寄与することが可能な回転体を提供することができる。
【００２８】
本発明は、かかる回転体を有し、この回転体の回転により、前記回転多面鏡に入射するビームを偏向して被走査面の走査を行う光偏向装置にあるので、負圧面に塵埃等を吸着し、塵埃等による回転多面鏡の汚れや曇りを低減可能であり、回転多面鏡の反射率低下を経時にわたって抑制ないし防止し、経時にわたって良好な偏向を行うことが可能であり、これにより経時にわたって良好な光走査、画像形成に寄与することが可能な光偏向装置を提供することができる。
【００２９】
本発明は、かかる光偏向装置と、前記ビームの光源と、この光源からのビームが進入する、前記回転多面鏡を含む光学系とを有し、前記回転体の回転により、前記光源からの前記ビームを、前記光学系によって被走査面に導いて同被走査面の走査を行う光走査装置にあるので、負圧面に塵埃等を吸着し、塵埃等による回転多面鏡の汚れや曇りを低減可能であり、回転多面鏡の反射率低下を経時にわたって抑制ないし防止し、経時にわたって良好な偏向が行われ、これにより経時にわたって良好な光走査を行うことが可能であり、これにより経時にわたって良好な画像形成に寄与することが可能な光走査装置を提供することができる。
【００３０】
前記光偏向装置に向けて空気を流入させる、塵埃に対するフィルタ付きの空気流入口を有することとすれば、フィルタによって外部からの塵埃等の流入を低減ないし防止するとともに、フィルタをすり抜けた塵埃等を負圧面に吸着し、塵埃等による回転多面鏡の汚れや曇りを低減可能であり、回転多面鏡の反射率低下を経時にわたって抑制ないし防止し、経時にわたって良好な偏向が行われ、また空気流入口から流入する空気を用いた熱交換により光偏向装置内部の温度を均一化することにより、経時にわたってより良好な光走査を行うことが可能であり、これにより経時にわたってより良好な画像形成に寄与することが可能な光走査装置を提供することができる。
【００３１】
本発明は、かかる光走査装置と、前記被走査面を構成し前記走査によって潜像を形成される像担持体とを有する画像形成装置にあるので、負圧面に塵埃等を吸着し、塵埃等による回転多面鏡の汚れや曇りを低減可能であり、回転多面鏡の反射率低下を経時にわたって抑制ないし防止し、経時にわたって良好な偏向、光走査が行われ、これにより経時にわたって良好な画像形成を行うことが可能な画像形成装置を提供することができる。
【００３２】
前記像担持体に担持されるトナーは、ワックス微粒子が分散されていることとすれば、負圧面にワックス微粒子を含む塵埃等を吸着し、塵埃等による回転多面鏡の汚れや曇りを低減可能であり、回転多面鏡の反射率低下を経時にわたって抑制ないし防止し、経時にわたって良好な偏向、光走査が行われ、これにより経時にわたって良好な画像形成を行うことが可能な画像形成装置を提供することができる。
【図面の簡単な説明】
【００３３】
【図１】本発明を適用した画像形成装置の概略正面図である。
【図２】図１に示した画像形成装置に備えられた光走査装置の一部の概略正面図である。
【図３】図１に示した画像形成装置に備えられた光走査装置の他の一部の概略平面図である。
【図４】図１に示した画像形成装置に備えられた光走査装置のさらに他の一部の正断面図である。
【図５】図４に示した光偏向装置の一部である回転体の斜視図である。
【図６】図１に示した画像形成装置に備えられた光走査装置のまたさらに他の一部の正断面図である。
【図７】図１に示した画像形成装置に備えられた光走査装置の変形例の一部の正断面図である。
【図８】図４に示した光偏向装置の一部である回転体の変形例の斜視図である。
【図９】図４に示した光偏向装置の一部である回転体の他の変形例の斜視図である。
【図１０】図４に示した光偏向装置の一部である回転体のまた他の変形例の斜視図である。
【図１１】図４に示した光偏向装置の一部である回転体のさらに他の変形例の斜視図である。
【図１２】図４に示した光偏向装置の一部である回転体のまたさらに他の変形例の斜視図である。
【図１３】本発明を適用した回転体の他の構成例の斜視図である。
【図１４】図１３に示した回転体を備えた光偏向装置およびこれを備えた光走査装置の平断面図である。
【図１５】一般的な光走査装置における問題を説明するための正断面図である。
【図１６】一般的な回転体における問題を説明するための概念図である。
【発明を実施するための形態】
【００３４】
図１に本発明を適用した画像形成装置の概略を示す。画像形成装置１００は、複写機、プリンタ、ファクシミリの複合機であってフルカラーの画像形成を行うカラー画像形成装置である。画像形成装置１００は、プリンタ、ファクシミリとして用いられる場合には、外部から受信した画像情報に対応する画像信号に基づき画像形成処理を行なう。
【００３５】
画像形成装置１００は、一般にコピー等に用いられる普通紙の他、ＯＨＰシートや、カード、ハガキ等の厚紙や、封筒等の何れをも記録用紙である転写シートとしてのシート状の記録媒体としてこれに画像形成を行なうことが可能である。
【００３６】
画像形成装置１００は、上下方向において中央位置を占める本体９９と、本体９９の上側に位置し原稿を読み取るスキャナとしての読取装置２１と、読取装置２１の上側に位置し原稿を積載され積載された原稿を読取装置２１に向けて送り出すＡＤＦといわれる自動原稿給紙装置２２と、本体９９の下側に位置しドラム型感光体である感光体ドラム２０Ｙ、２０Ｍ、２０Ｃ、２０Ｋと中間転写ベルト１１との間に向けて搬送される記録媒体である転写媒体たる転写紙Ｓを積載した給紙テーブルとしてのシート給送装置２３とを有している。
【００３７】
画像形成装置１００は、イエロー、マゼンタ、シアン、ブラックの各色に色分解された色にそれぞれ対応する像としての画像を形成可能な複数の像担持体としての潜像担持体である円筒状の光導電性感光体たる感光体ドラム２０Ｙ、２０Ｍ、２０Ｃ、２０Ｋを並設したタンデム構造を採用したタンデム構造、言い換えるとタンデム方式すなわちタンデム型の画像形成装置である。
【００３８】
感光体ドラム２０Ｙ、２０Ｍ、２０Ｃ、２０Ｋは、同一径であり、画像形成装置１００の本体９９の内部のほぼ中央部に配設された無端ベルトである中間転写ベルトとしての転写ベルト１１の外周面側すなわち作像面側に、等間隔で並んでいる。
【００３９】
感光体ドラム２０Ｙ、２０Ｍ、２０Ｃ、２０Ｋは、Ａ１方向の上流側からこの順で並設されている。各感光体ドラム感光体ドラム２０Ｙ、２０Ｍ、２０Ｃ、２０Ｋはそれぞれ、イエロー、マゼンタ、シアン、ブラックの画像を形成するための、画像形成部としての作像部たる画像ステーション６０Ｙ、６０Ｍ、６０Ｃ、６０Ｋに備えられている。
【００４０】
転写ベルト１１は、各感光体ドラム２０Ｙ、２０Ｍ、２０Ｃ、２０Ｋに対峙しながら矢印Ａ１方向に移動可能となっている。各感光体ドラム２０Ｙ、２０Ｍ、２０Ｃ、２０Ｋに形成された可視像すなわちトナー像は、矢印Ａ１方向に移動する転写ベルト１１に対しそれぞれ重畳転写され、その後、転写紙Ｓに一括転写されるようになっている。
【００４１】
転写ベルト１１に対する重畳転写は、転写ベルト１１がＡ１方向に移動する過程において、各感光体ドラム２０Ｙ、２０Ｍ、２０Ｃ、２０Ｋに形成されたトナー像が、転写ベルト１１の同じ位置に重ねて転写されるよう、転写ベルト１１を挟んで各感光体ドラム２０Ｙ、２０Ｍ、２０Ｃ、２０Ｋのそれぞれに対向する位置に配設された転写チャージャとしての１次転写ローラ１２Ｙ、１２Ｍ、１２Ｃ、１２Ｋによる電圧印加によって、Ａ１方向上流側から下流側に向けてタイミングをずらして、各感光体ドラム２０Ｙ、２０Ｍ、２０Ｃ、２０Ｋと転写ベルト１１と対向位置である転写位置にて行われる。
【００４２】
転写ベルト１１は、その全層をゴム剤等の弾性部材を用いて構成した弾性ベルトである。転写ベルト１１は、単層の弾性ベルトであっても良いし、その一部を弾性部材とした弾性ベルトであっても良いし、従来から用いられている、フッ素系樹脂、ポリカーボネート樹脂、ポリイミド樹脂等を用いても良く、非弾性ベルトであっても良い。
【００４３】
画像形成装置１００は、４つの画像ステーション６０Ｙ、６０Ｍ、６０Ｃ、６０Ｋと、各感光体ドラム２０Ｙ、２０Ｍ、２０Ｃ、２０Ｋの下方に対向して配設され、転写ベルト１１を備えた中間転写装置であるベルトユニットとしての転写ベルトユニット１０と、転写ベルト１１に対向して配設され転写ベルト１１に当接し、転写ベルト１１への当接位置において転写ベルト１１と同方向に回転する転写部材としての紙転写ベルトである転写装置たる２次転写ローラ５とを有している。
【００４４】
画像形成装置１００はまた、転写ベルト１１に対向して配設され転写ベルト１１上をクリーニングする中間転写クリーニングブレードを備えた中間転写ベルトクリーニング装置としての図示しないクリーニング装置と、画像ステーション６０Ｙ、６０Ｍ、６０Ｃ、６０Ｋの上方に対向して配設された書き込み手段である光書き込み装置としての書込装置たる光走査装置８とを有している。
【００４５】
画像形成装置１００はまた、シート給送装置２３から搬送されてきた記録紙を、画像ステーション６０Ｙ、６０Ｍ、６０Ｃ、６０Ｋによるトナー像の形成タイミングに合わせた所定のタイミングで、転写ベルト１１と２次転写ローラ５の間の転写部に向けて繰り出すレジストローラ対１３と、転写紙Ｓの先端がレジストローラ対１３に到達したことを検知する図示しないセンサとを有している。
【００４６】
画像形成装置１００はまた、トナー像を転写され矢印Ｃ１方向に搬送されることで進入してきた転写紙Ｓに同トナー像を定着させるためのローラ定着方式の定着ユニットとしての定着器である定着装置６と、定着装置６を経た転写紙Ｓを本体９９の外部に排出する排紙ローラ７と、本体９９の上部に配設され排紙ローラ７により本体９９の外部に排出された転写紙Ｓを積載する排紙部としての排紙トレイ１７と、イエロー、マゼンタ、シアン、ブラックの各色のトナーを充填された図示しないトナーボトルとを有している。
【００４７】
画像形成装置１００は、排紙トレイ１７が本体９９の上方でかつ読取装置２１の下側に位置した胴内排紙型の画像形成装置である。排紙トレイ１７上に積載された転写紙Ｓは、図１において左方に対応するＤ１方向下流側に取り出されるようになっている。
【００４８】
転写ベルトユニット１０は、転写ベルト１１の他に、１次転写ローラ１２Ｙ、１２Ｍ、１２Ｃ、１２Ｋと、中間転写ベルト１１を巻き掛けられた、駆動ローラ７２、２次転写対向ローラとしての転写入口ローラ７３および従動ローラであるテンションローラ７４とを有している。転写ベルト１１は、駆動ローラ７２と転写入口ローラ７３との間において上面が水平になるように駆動ローラ７２と転写入口ローラ７３とに掛け渡されている。駆動ローラ７２は、図示しない駆動源としてのモータの駆動により回転駆動され、これによって、転写ベルト１１がＡ１方向に回転駆動される。
【００４９】
定着装置６は、熱源を内部に有する定着ローラ６２と、定着ローラ６２に圧接された加圧ローラ６３とを有しており、トナー像を担持した転写紙Ｓを定着ローラ６２と加圧ローラ６３との圧接部である定着部に通すことで、熱と圧力との作用により、担持したトナー像を転写紙Ｓの表面に定着するようになっている。
【００５０】
光走査装置８は、感光体ドラム２０Ｙ、２０Ｍ、２０Ｃ、２０Ｋの表面によって構成された被走査面をそれぞれ走査して露光し、静電潜像を形成するための、画像信号に基づくレーザービームとしてのレーザー光であるビームＬＹ、ＬＭ、ＬＣ、ＬＫを発するものである。ビームＬＹ、ＬＭ、ＬＣ、ＬＫは、形成すべき画像に対応した電子情報である画像信号が光情報に変換されたものであり、光走査装置８は、かかる光情報を感光体ドラム２０Ｙ、２０Ｍ、２０Ｃ、２０Ｋ上に潜像として固定するものである。
【００５１】
光走査装置８は、本体９９に対し着脱自在となっており、離脱時には、画像ステーション６０Ｙ、６０Ｍ、６０Ｃ、６０Ｋにそれぞれ備えられた後述するプロセスカートリッジをそれぞれ独立で本体９９から上方に取り出せるようになっている。
【００５２】
シート給送装置２３は、転写紙Ｓを積載した給紙カセットとしての給紙トレイ１５と、給紙トレイ１５上に積載された転写紙Ｓを送り出す給紙コロ１６とを有している。
【００５３】
読取装置２１は、本体９９の上方に位置し、画像形成装置１００のＤ１方向上流側端部に配設された軸２４により本体９９に回動自在に一体化され本体９９に対して開閉可能となっている。
【００５４】
読取装置２１は、Ｄ１方向下流側端部に、読取装置２１を本体９９に対して開くときに把持するための把持部２５を有している。読取装置２１は、軸２４を中心に回動自在であって、把持部２５を把持して上方に回動させることで本体９９に対して開く。本体９９に対する読取装置２１の開放角度はほぼ９０度であり、本体９９内部へのアクセス、読取装置２１を閉じる作業等が容易となっている。
【００５５】
読取装置２１は、原稿を載置するコンタクトガラス２１ａ、コンタクトガラス２１ａに載置された原稿に光を照射する図示しない光源及び光源から原稿に照射され反射された光を反射する図示しない第１の反射体を備え図１における左右方向に走行する第１走行体２１ｂ、第１走行体２１ｂの反射体によって反射された光を反射する図示しない第２の反射体を備えた第２走行体２１ｃ、第２走行体２１ｃからの光を結像するための結像レンズ２１ｄ、結像レンズ２１ｄを経た光を受け原稿の内容を読み取る読み取りセンサ２１ｅ等を備えている。
【００５６】
自動原稿給紙装置２２は、読取装置２１の上方に位置し、画像形成装置１００のＤ１方向上流側端部に配設された軸２６により読取装置２１に回動自在に一体化され読取装置２１に対して開閉可能に備えられている。
【００５７】
自動原稿給紙装置２２は、Ｄ１方向下流側端部に、自動原稿給紙装置２２を読取装置２１に対して開くときに把持するための把持部２７を有している。自動原稿給紙装置２２は、軸２６を中心に回動自在であって、把持部２７を把持して上方に回動させることで読取装置２１に対して開き、コンタクトガラス２１ａを露出させる。
【００５８】
自動原稿給紙装置２２は原稿を載置する原稿台２２ａと、原稿台２２ａに載置された原稿を給送する、図示しないモータ等を備えた駆動部とを有している。画像形成装置１００を用いて複写を行うときには、原稿を自動原稿給送装置２２の原稿台２２ａにセットするか、自動原稿給送装置２２を上方に向けて回動して手動でコンタクトガラス２１ａ上に原稿を載置してから自動原稿給送装置２２を閉じて原稿をコンタクトガラス２１ａに押圧する。読取装置２１に対する自動原稿給紙装置２２の開放角度はほぼ９０度であり、コンタクトガラス２１ａ上に原稿を載置する作業、コンタクトガラス２１ａのメンテナンス作業等が容易となっている。
【００５９】
図１を参照して、画像ステーション６０Ｙ、６０Ｍ、６０Ｃ、６０Ｋについて、そのうちの一つの、感光体ドラム２０Ｙを備えた画像ステーション６０Ｙの構成を代表して構成を説明する。なお、他の画像ステーションの構成に関しても実質的に同一であるので、以下の説明においては、便宜上、画像ステーション６０Ｙの構成に付した符号に対応する符号を、他の画像ステーションの構成に付し、また詳細な説明については適宜省略することとし、符号の末尾にＹ、Ｍ、Ｃ、Ｋが付されたものはそれぞれ、イエロー、マゼンタ、シアン、ブラックの画像形成を行うための構成であることを示すこととする。
【００６０】
感光体ドラム２０Ｙを備えた画像ステーション６０Ｙは、感光体ドラム２０Ｙの周囲に、図中時計方向であるその回転方向Ｂ１に沿って、１次転写ローラ１２Ｙと、感光体ドラム２０Ｙをクリーニングするためのクリーニング手段としてのクリーニング装置７０Ｙと、感光体ドラム２０Ｙを高圧に帯電するための帯電手段である帯電装置としての帯電チャージャたる帯電装置３０Ｙと、感光体ドラム２０Ｙを現像するための現像手段としての現像器である現像装置５０Ｙとを有している。現像装置５０Ｙは、感光体ドラム２０Ｙに対向する位置に配設された現像ローラ５１Ｙを有している。
【００６１】
感光体ドラム２０Ｙと、クリーニング装置７０Ｙと、帯電装置３０Ｙと、現像装置５０Ｙとは一体化されており、プロセスカートリッジを構成している。プロセスカートリッジは本体９９に対して着脱自在となっている。このようにプロセスカートリッジ化することは、交換部品として取り扱うことができるため、メンテナンス性が著しく向上し、大変好ましい。
【００６２】
感光体ドラム２０Ｙの表面の、帯電装置３０Ｙと現像装置５０Ｙとの間には光走査装置８から出射されたビームＬＹが照射されるようになっており、このビームＬＹが照射される部分は露光部となっている。
【００６３】
現像装置５０Ｙに用いられているトナーは、電気抵抗率が１×１０１４〜１×１０１７Ωｍと高く、また融点が低く溶融しやすいパラフィン系のワックス微粒子が分散されている。
１次転写ローラ１２Ｙは転写チャージャであっても良い。
【００６４】
以上のような構成により、感光体ドラム２０Ｙは、Ｂ１方向への回転に伴い、帯電装置３０Ｙにより表面を一様に帯電され、光走査装置８からのビームＬＹの露光走査によりイエロー色に対応した静電潜像を形成される。この静電潜像の形成は、ビームＬＹが、紙面垂直方向である主走査方向に走査するとともに、感光体ドラム２０ＹのＢ１方向への回転により、感光体ドラム２０Ｙの円周方向である副走査方向へも走査することによって行われる。
【００６５】
このようにして形成された静電潜像には、現像装置５０Ｙにより供給される帯電したイエロー色のトナーが付着し、イエロー色に現像されて顕像化され、現像により得られたイエロー色の可視画像たるトナー像は、１次転写ローラ１２ＹによりＡ１方向に移動する転写ベルト１１に１次転写され、転写後に残留したトナー等の異物はクリーニング装置７０Ｙにより掻き取り除去され備蓄されて、感光体ドラム２０Ｙは、帯電装置３０Ｙによる次の帯電に供される。
【００６６】
他の感光体ドラム２０Ｃ、２０Ｍ、２０Ｋにおいても同様に各色のトナー像が形成等され、形成された各色のトナー像は、１次転写ローラ１２Ｃ、１２Ｍ、１２Ｋにより、Ａ１方向に移動する転写ベルト１１上の同じ位置に順次１次転写される。
【００６７】
転写ベルト１１上に重ね合わされたトナー像は、転写ベルト１１のＡ１方向の回転に伴い、２次転写ローラ５との対向位置である２次転写部である転写部まで移動し、この転写部において、カラー画像として転写紙Ｓに２次転写される。
【００６８】
転写ベルト１１と２次転写ローラ５との間に搬送されてきた転写紙Ｓは、シート給送装置２３から繰り出され、レジストローラ対１３によって、センサによる検出信号に基づいて、転写ベルト１１上のトナー像の先端部が２次転写ローラ５に対向するタイミングで送り出されたものである。
【００６９】
転写紙Ｓは、すべての色のトナー像を一括転写され、担持すると、Ｃ１方向に搬送されて定着装置６に進入し、定着ローラ６２と加圧ローラ６３との間の定着部を通過する際、熱と圧力との作用により、担持したトナー像を定着され、この定着処理により、転写紙Ｓ上に合成カラー画像たるカラー画像が形成される。定着装置６を通過した定着済みの転写紙Ｓは、排紙ローラ７を経て、排紙トレイ１７上にスタックされる。一方、２次転写を終えた転写ベルト１１は、クリーニング装置によってクリーニングされ、次の１次転写に備える。
【００７０】
画像形成装置１００は、高速の画像形成を行うため、光走査装置８による感光体ドラム２０Ｙ、２０Ｍ、２０Ｃ、２０Ｋの表面への潜像の書き込みが高速で行なわれるようになっている。そのため、光走査装置８は、回転多面鏡を複数設けた構造が採用されており、また回転多面鏡の回転高速化がなされている。
【００７１】
このような特性をもつ光走査装置８について以下詳述する。なお、光走査装置８の書込み速度の高速化に応じて、感光体ドラム２０Ｙ、２０Ｍ、２０Ｃ、２０Ｋ、転写ベルト１１の回転速度、転写紙Ｓの搬送速度なども高速化されている。
【００７２】
図２は、光走査装置８を、図１に示したのと同じ方向から見た状態を概略的に示している。光走査装置８は、同図における左右方向の中心部に、本発明を適用した光偏向装置としての光偏向器１１７を有しており、光偏向器１１７を中心に同図における左右方向において対称な構造となっている。同図においては光偏向器１１７を模式的に示しており、図４ないし図１２等においては光偏向器１１７、これを有する光走査装置８のより詳細な構造が示されているが、これらの図を参照した光偏向器１１７、光走査装置８の構造については後に詳述する。
【００７３】
図３は、光走査装置８を副走査方向、即ち、光偏向器１１７の回転軸方向から見た状態を示しており、同図における左右方向は、図１、図２における左右方向に一致している。図３は、光走査装置８の、図２に示されていない構成の一部を示しているとともに、図２に示されている構成の一部である、光路屈曲用の、光路折り曲げミラーとしてのミラー１１９Ｋ、１１９Ｃの図示を省略している。同図はまた、図示の簡単のため、光偏向器１１７から光走査位置である感光体ドラム２０Ｙ、２０Ｍ、２０Ｃ、２０Ｋ表面に至る光路が直線となるように描いた。同図からも、光走査装置８が光偏向器１１７を中心に同図における左右方向において対称な構造となっていることが分かる。以下においては、ビームＬＫ、ＬＣに関する構成について説明する。
【００７４】
図３において、符号１１１、１１１’は半導体レーザを示している。半導体レーザ１１１、１１１’は１つの光源を構成する２つの発光源であるレーザ発生器であり、それぞれ１本の光ビームを放射する。これら半導体レーザ１１１、１１１’は図示しないホルダに保持されている。半導体レーザ１１１、１１１’から放射された各光ビームはそれぞれ、カップリングレンズ１１３、１１３’により以後の光学系に適した光束形態である平行光束に変換される。なお、カップリングレンズ１１３、１１３’は、以後の光学系に応じて、半導体レーザ１１１、１１１’から放射された各光ビームをそれぞれ弱い発散性もしくは弱い収束性の光束に変換するものであっても良い。
【００７５】
カップリングレンズ１１３、１１３’から射出し、所望の光束形態である平行光束となった各光ビームは、光ビーム幅を規制する図示しないアパーチュアの開口部を通過してビーム整形されたのち、ハーフミラープリズム１１４に入射し、この作用により副走査方向に２分割されてそれぞれが２本の光ビームに分けられる。よって、光走査装置８では、１つの光源から２本の光ビームが放射され、これら２本の光ビームが副走査方向に２分割されて４本の光ビームが得られる。
【００７６】
これら４本の光ビームはシリンドリカルレンズ１１５Ｋ、１１５Ｃに入射し、これらシリンドリカルレンズ１１５Ｋ、１１５Ｃの作用により副走査方向へ集光され、光偏向器１１７の偏向反射面近傍に主走査方向に長い線像として結像する。半導体レーザ１１１、１１１’から放射され、ハーフミラープリズム１１４より分割された光ビームは、シリンドリカルレンズ１１５Ｋ、シリンドリカルレンズ１１５Ｃの何れかに入射する。
【００７７】
光源側からの４本の光ビームは、シリンドリカルレンズ１１５Ｋまたはシリンドリカルレンズ１１５Ｃを経て光偏向器１１７に入射し、光偏向器１１７で偏向された光ビームは走査結像光学系側へ射出する。光偏向器１１７は、後に詳述するが、上ポリゴンミラーとしての回転多面鏡１１７ａ、下ポリゴンミラーとしての回転多面鏡１１７ｂを回転軸方向に上下２段に積設して一体とした状態で備えているとともに、回転多面鏡１１７ａ、１１７ｂは、この例においてそれぞれ４面の偏向反射面を持つ、回転軸方向から見て正方形の、同一形状のものであって、回転多面鏡１１７ａの偏向反射面に対し、回転多面鏡１１７ｂの偏向反射面が、回転方向へ４５度ずれている。
【００７８】
同図において、符号１１８Ｋ、１１８Ｃはそれぞれ第１走査レンズ、符号１２０Ｋ、１２０Ｃはそれぞれ第２走査レンズを示している。第１走査レンズ１１８Ｋ、第２走査レンズ１２０Ｋと、図２に示したミラー１１９Ｋとは、光偏向器１１７の回転多面鏡１１７ａにより偏向される２本の光ビーム、すなわち、半導体レーザ１１１、１１１’から射出し、ハーフミラープリズム１１４を透過した２本の光ビームを、対応する光走査位置である感光体ドラム２０Ｋ上に導光して、副走査方向に分離した２つの光スポットを形成する１組の走査結像光学系を構成する。第１走査レンズ１１８Ｃ、第２走査レンズ１２０Ｃと、光路折り曲げミラー１１９Ｃとは、光偏向器１１７の回転多面鏡１１７ｂにより偏向される２本の光ビーム、すなわち、半導体レーザ１１１、１１１’から射出し、ハーフミラープリズム１１４により反射された２本の光ビームを、対応する光走査位置である感光体ドラム２０Ｃ上に導光して、副走査方向に分離した２つの光スポットを形成する１組の走査結像光学系を構成する。
【００７９】
半導体レーザ１１１、１１１’から放射された光ビームは、光偏向器１１７の回転軸方向から見て偏向反射面位置の近傍において主光線が交差するように光学配置が定められており、従って、回転多面鏡１１７ａ、１１７ｂによって形成される偏向反射面に入射してくる２光束の各対は光ビーム相互が開き角、すなわち、同偏向反射面の側から光源側を見たとき、２本の光ビームの回転軸に直交する面への射影がなす角を有する。この開き角により、感光体ドラム２０Ｋ、２０Ｃのそれぞれに形成される２つの光スポットは主走査方向にも分離しており、このため各感光体ドラム２０Ｋ、２０Ｃを光走査する２本の光ビームを、有効走査領域外に配設された反射ミラー１１６Ｋ、１１６Ｃで反射するとともに、この反射ミラー１１６Ｋ、１１６Ｃによって反射された光ビームを個別的に検出する同期受光手段としての検出器であるフォトダイオード１２２Ｋ、１２２Ｃで検出して、光ビームの１走査ごとの書き出しタイミングを検出することで、光走査開始の同期を光ビームごとに取るようになっている。
【００８０】
このようにして、光偏向器１１７の回転多面鏡１１７ａにより偏向される２光ビームにより、感光体ドラム２０Ｋが２本の光ビームによりマルチビーム走査され、光偏向器１１７の回転多面鏡１１７ｂにより偏向される２光ビームにより、感光体ドラム２０Ｃが２本の光ビームによりマルチビーム走査される。光偏向器１１７の回転多面鏡１１７ａの偏向反射面と回転多面鏡１１７ｂの偏向反射面とは互いに回転方向に４５°ずれているので、回転多面鏡１１７ａによる偏向光ビームが感光体ドラム２０Ｋの光走査を行うとき、回転多面鏡１１７ｂによる偏向光ビームは、感光体ドラム２０Ｃには導光されず、回転多面鏡１１７ｂによる偏向光ビームが感光体ドラム２０Ｃの光走査を行うとき、回転多面鏡１１７ａによる偏向光ビームは、感光体ドラム２０Ｋには導光されない。即ち、感光体ドラム２０Ｋ、２０Ｃの光走査は時間的にずれて交互に行われることになる。
【００８１】
図４、図５を参照して光偏向器１１７の構成を説明する。
図４又は図５に示すように、光偏向器１１７は回転多面鏡１１７ａ、１１７ｂを備えた、本発明を適用した回転体１０１を有している。回転体１０１は、回転多面鏡１１７ａ、１１７ｂのほか、ロータ磁石１０３を支持する保持部としてのフランジ１０２ｃを有しており、回転軸１０４の外周に焼き嵌めにて固定されている。回転多面鏡１１７ａ、１１７ｂは、連結部１０２ｆを介し連続する形で形成されている。回転多面鏡１１７ａ、１１７ｂはそれぞれ、複数、本形態では４つの反射面Ｒa、Ｒｂを有している。反射面Ｒa、Ｒｂはそれぞれ透明保護膜を形成されている。
【００８２】
回転体１０１は、アルミニウム合金を基材として、超精密切削加工を行うことによって一体成形された、一体構造となっている。そのため、回転多面鏡１１７ａ、１１７ｂは互いに強固に連結された状態となっており、高速回転においても騒音が少ない、加速度や温度変化によっても回転多面鏡のずれが起こりにくいという特性を有する。回転体１０１の主要部は金属からなる導電性部材で構成されている。
【００８３】
回転体１０１は、回転多面鏡１１７ａ、１１７ｂによって形成されるそれぞれの偏向反射面に４５度の位相差を設けることで、光走査装置８に適用されているが、かかる偏向反射面が回転方向へずれていない光偏向器（図１２参照）にも本発明は適用可能である。
【００８４】
回転軸１０４の軸受である軸受部材としてのラジアル軸受１０５は含油動圧軸受であり、軸受隙間は直径で１０μｍ以下に設定されている。高速回転での安定性を確保するため、ラジアル軸受１０５には、図示しない動圧発生溝としての動圧溝が設けられている。動圧溝は、回転軸１０４の外周面に設けても良いが、ラジアル軸受１０５は加工性が良好な焼結部材からなるため、動圧溝を本形態のようにラジアル軸受１０５の内周面に施すのが好適である。
【００８５】
回転軸１０４の素材としては、焼入れが可能で表面硬度を高くでき、耐磨耗性が良好なマルテンサイト系のステンレス鋼（例えばＳＵＳ４２０Ｊ２）が好適である。ロータ磁石１０３はフランジ１０２ｃの下部内面に固定され、ハウジングとしての軸受ハウジング１０６に固定された、巻線コイル１０７ａを有するステータコア１０７の外径部にレイアウトされ、ステータコア１０７とともに、径方向に磁気ギャップを有するアウターロータ型のブラシレスモータを構成している。ロータ磁石１０３は樹脂をバインダーに使用したボンド磁石であり、高速回転時の遠心力による破壊が発生しないように、ロータ磁石１０３の外径部がフランジ１０２ｃにより保持されている。ロータ磁石１０３を圧入固定することにより一層の高速回転、かつ高温環境においても固定部の微移動を生ずることなく、回転体バランスの高精度維持が可能となっている。
【００８６】
回転体１０１及び回転軸１０４のスラスト方向の軸受は、回転軸１０４の下端面に形成された凸曲面１０４aと、その対向面にスラスト受部材としてのスラスト軸受１０８とを接触させたピボット軸受である。スラスト軸受１０８はマルテンサイト系ステンレス鋼やセラミックス、または金属部材表面にＤＬＣすなわち（ダイヤモンドライクカーボン）処理等の硬化処理をしたもの、あるいは、樹脂材料等を用いて潤滑性を良好にし、磨耗粉の発生が抑えられている。ラジアル軸受１０５とスラスト軸受１０８とは軸受ハウジング１０６に収納され、シール部材としての流体シール１０９により、油の流出が防止されている。
【００８７】
軸受ハウジング１０６は、カシメにより、基板としての回路基板１１０に固定されている。カシメによる固定は、同径の凸と凹の部材の間にマイナス公差を設けることにより、機械的に部材を結合させる方式であって、接着等の他の方法による固定に比べて強固であるため好適である。ラジアル軸受１０５とスラスト軸受１０８と軸受ハウジング１０６とは回転軸１０４を回路基板１１０に回転自在に支持した軸受手段１３０を構成している。軸受手段１３０は、回転軸１０４を介して、回転体１０１を回路基板１１０に回転自在に支持している。
【００８８】
回転体１０１を２５０００ｒｐｍ以上で高速回転させる場合、振動を小さくするために回転体１０１のバランスを高精度に修正かつ維持しなければならない。回転体１０１にはアンバランスの修正部が上下２ヶ所あり、上側は回転体１０１の上面円周凹部１０２ｄに、下側はフランジ１０２ｃの円周凹部１０２ｅに各々接着剤を塗布することによりバランス修正を行う。アンバランス量は１０ｍｇ・ｍｍ以下が必要であり、例えば半径１０ｍｍの箇所で修正量は１ｍｇ以下に保たれている。なお、上記のような微少な修正を実行する際に接着剤等の付着物では管理がしにくい場合、また量が少ないため接着力が弱く４００００ｒｐｍ以上の高速回転時には剥離、飛散してしまう場合には、回転体１０１の一部を、ドリルによる切削やレーザ加工によって削除することが好適である。
【００８９】
回転体１０１の回転駆動は、ロータ磁石１０３の磁界により回路基板１１０に実装されているホール素子１１１から出力される信号を位置信号として参照し、駆動用ＩＣとしての駆動ＩＣ１３２により巻線コイル１０７ａの励磁切り替えを行い回転する。ロータ磁石１０３は径方向に着磁されており、ステータコア１０７の外周とで回転トルクを発生し回転する。ロータ磁石１０３は内径以外の外径及び高さ方向は磁路を開放しており、モータの励磁切り換えのためのホール素子１１１を開放磁路内に配置している。符号１３３はコネクタを示しており、このコネクタ１３３には、不図示のハーネスが接続され、本体９９からの電力供給とモータの起動停止、回転数等の制御信号の入出力が行われる。このようなモータ構成により、回転体１０１は、回転軸１０４と一体で、回転軸１０４の周りに回転駆動されるようになっている。言い換えると、回転軸１０４は、回転体１０１の中心をなし回転体１０１とともに回転するようになっている。
【００９０】
回転体１０１は、かかるモータ構成であるモータ部が、フランジ１０２ｃと下側の回転多面鏡１１７ｂとの間を連結する連結部１０２ｇにより一体化されている。回転体１０１の材料を削減し環境負荷を低減する他、回転多面鏡１１７ａ、１１７ｂの回転による風損の影響を抑え、騒音および回転エネルギを低下することを目的に、回転多面鏡１１７ａ、１１７ｂを小型化した結果、モータ部よりも回転多面鏡１１７ａ、１１７ｂが小さい小型の回転体となっている。回転体１０１、光偏向器１１７は、２０ｋｒｐｍ程度から６０ｋｒｐｍを超える高速回転まで使用される。６０ｋｒｐｍ超の高速まで回転させるために、軸受損失を小さくする必要があり、回転軸１０４の直径が２〜３ｍｍ程度の小型の動圧軸受が用いられている。
回転体１０１はその他、集塵部１４０を備えているが、この集塵部１４０については後に詳述する。
【００９１】
図６に示すように、光偏向器１１７は、以上述べた構成を取り付けられ収納した筐体としてのコア筐体１３４を備えている。なお、光偏向器１１７はその他、回転多面鏡１１７ａ、１１７ｂをフランジ１０２ｃ側に向けて付勢し、回転軸方向において固定する図示しない付勢手段としての板バネ部材である押さえばね（図１２、図１４において符号１４３で示す部材を参照）を有している。
【００９２】
光走査装置８は、光偏向器１１７を取り付けられ収容した光学箱である筐体としてのサブ筐体１３５と、サブ筐体１３５内の、回転体１０１の上方に配設された外気導入部材１３６とを有している。
【００９３】
なお、同図において、半導体レーザ１１１、１１１’、カップリングレンズ１１３、１１３’、ハーフミラープリズム１１４、シリンドリカルレンズ１１５Ｋ、１１５Ｃ、１１５Ｍ、１１５Ｙ、反射ミラー１１６Ｋ、１１６Ｃ、１１６Ｍ、１１６Ｙ、第１走査レンズ１１８Ｋ、１１８Ｃ、１１８Ｍ、１１８Ｙ、ミラー１１９Ｋ、１１９Ｃ、１１９Ｍ、１１９Ｙ、第２走査レンズ１２０Ｋ、１２０Ｃ、１２０Ｍ、１２０Ｙ、フォトダイオード１２２Ｋ、１２２Ｃ、１２２Ｍ、１２２Ｙ等の図示は省略している。同図中の矢印は、回転多面鏡１１７ａ、１１７ｂが回転したときに発生する空気の流れの一部を模式的に示したものである。
【００９４】
サブ筐体１３５は、外気導入部材１３６を取り付けられたカバー１３７を有している。カバー１３７は、サブ筐体１３５内に、外部の塵埃等が侵入することのないように、サブ筐体１３５の本体１３５ａに固定されている。カバー１３７は、外気導入部材１３６を介して、サブ筐体１３５外の空気をサブ筐体１３５内に流入可能とし、光偏向器１１７に向けて空気を流入可能とした空気流入口としての開口１３７ａを有している。
【００９５】
外気導入部材１３６は、開口１３７ａを、カバー１３７の下方から覆うように取り付けられている。外気導入部材１３６は、開口１３７ａに連通する開口１３８ａを有するとともに回転体１０１の上方において回転体１０１に近接し対向するように外気の流入口側がカバー１３７に固定された外気誘導整流部材１３８と、開口１３８ａを覆うように外気誘導整流部材１３８に取り付けられたフィルタ１３９とを有している。
【００９６】
外気誘導整流部材１３８の、回転体１０１と対向する面は、略リング状の平面で形成されている。外気の誘導流路となる外気誘導整流部材１３８の内側には、外気側から回転体１０１側に向かって径が大きくなるように拡がる略円錐状の空間が形成されている。外気誘導整流部材１３８の外径は、回転体１０１の、回転多面鏡１１７ａ、１１７ｂ部分の外径言い換えると回転多面鏡１１７ａ、１１７ｂの頂点を通る外接円の直径よりも大きい。
【００９７】
フィルタ１３９は両面テープを用いて外気誘導整流部材１３８に交換可能に取り付けられているが、フィルタ１３９はねじ等を用いて外気誘導整流部材１３８に交換可能に取り付けても良いし、交換を容易とするため、バネ部材等を用いて弾性的に固定する構成としても良い。フィルタ１３９は、図示を省略するが、塵、ガス状の汚染物質、その他トナーに含まれるワックス微粒子等を吸着する、シート状の静電フィルタと、活性炭フィルタとを有している。
【００９８】
回転多面鏡１１７ａ、１１７ｂが回転すると反射面Ｒa、Ｒｂが空気を押し出すため、この反射面Ｒa、Ｒｂで押出される空気を補うように、回転多面鏡１１７ａ、１１７ｂの上下から空気が流れ込む。このとき、回転多面鏡１１７ａ、１１７ｂ上方から外気誘導流路である外気誘導整流部材１３８の内側の順に負圧が伝達され、サブ筐体１３５の内側に外気が誘導される。このとき、外気は静電フィルタ、活性炭フィルタを通ることで、塵、ガス状の汚染物質が吸着され、回転多面鏡１１７ａ、１１７ｂの周辺には清浄化された空気が供給される。
【００９９】
外気誘導整流部材１３８は、回転多面鏡１１７ａ、１１７ｂ、回転体１０１周辺の後述する循環流を防止し、回転多面鏡１１７ａ、１１７ｂ、回転体１０１周辺に清浄化した空気を供給して、空気流によるエアーカーテンを形成し、回転多面鏡１１７ａ、１１７ｂ表面の曇り、汚染を防止する。
【０１００】
サブ筐体１３５には、特別に排気口は設けていないが、完全にシールされているものではないため、サブ筐体１３５の内側の圧力が高まると、サブ筐体１３５の本体１３５ａとカバー１３７との合わせ目のすきまから外部に空気が流れ出す。このとき、回転体１０１の回転に伴うモータ部や軸受部の発熱、回転多面鏡１１７ａ、１１７ｂを含む回転体１０１自身の空気との摩擦熱により加熱されたサブ筐体１３５内の空気が外部に押出され、相対的に温度が低い外気が回転体１０１周辺に誘導される。その結果、空気を用いた熱交換により、発熱源である回転体１０１及びこの周辺の冷却効果が高まるとともに、サブ筐体１３５内に配置された走査結像光学系等の光学部品等への熱の伝達量が小さくなり、サブ筐体１３５内およびかかる光学部品等内の温度偏差が小さくなり、これらの劣化や走査精度の低下が抑制される。
【０１０１】
光走査装置８、光偏向器１１７は図７に示す構成であっても良い。同図において、すでに述べた構成と同様の構成には同じ符号を付し、すでに述べた構成と異なる点について主に説明する。
【０１０２】
同図に示した光偏向器１１７は、コア筐体１３４を備えておらず、サブ筐体１３５に直接収納されている。カバー１３７は端部に爪１３７ｂを有し、この爪１３７ｂにより本体１３５ａによって固定され、サブ筐体１３５の外部の塵埃等がサブ筐体１３５の内部に侵入しないようにされている。
【０１０３】
外気の誘導流路となる外気誘導整流部材１３８の内側に形成されている空間は、外気側から回転体１０１側に向かって同一径の円筒状をなしている。外気誘導整流部材１３８の外径は、回転体１０１の、回転多面鏡１１７ａ、１１７ｂ部分の外径言い換えると回転多面鏡１１７ａ、１１７ｂの頂点を通る外接円とほぼ同じである。
【０１０４】
なお、かりに、光走査装置８が外気誘導清流部材１３８を備えていないとすると、図１５（ａ）、（ｂ）のそれぞれに示すように、回転多面鏡周辺で矢印Ｚで示す循環流が発生し得る。この循環流Ｚが生じると、筐体内への十分な外気の流入が得られず、筐体外への空気の排出及びこれによる冷却効果が十分に得られないことが知られている。
【０１０５】
しかしながら、図６、図７に示した光走査装置８は外気誘導清流部材１３８を備えているため、かかる循環流が生じることが防止ないし抑制され、空気を用いた熱交換が効率よく行われるため、光走査装置８、光偏向器１１７の、回転多面鏡１１７ａ、１１７ｂ、回転体１０１周辺を中心とする温度上昇が抑制され、サブ筐体１３５内あるいはこれに加えてコア筐体１３４内における温度の高低差による温度分布、温度偏差が低減されて、被走査面である感光体ドラム２０Ｙ、２０Ｍ、２０Ｃ、２０Ｋ表面上の光ビームの結像位置ずれ、画像劣化が低減される。また、フィルタ１３９により塵埃、ガス状の汚染物質を除去した外気を誘導し、回転多面鏡１１７ａ、１１７ｂの周りには常に清浄化された空気を供給することで、反射面Ｒa、Ｒｂの曇り、汚染が抑制ないし防止される。
【０１０６】
ただし、フィルタ１３９による塵埃等の除去は必ずしも完全ではなく、また、サブ筐体１３５の隙間たとえば本体１３５ａとカバー１３７との隙間から塵埃等が進入する可能性も完全には否定できないとともに、回転体１０１の回転による回転軸１０４、スラスト軸受１０８の磨耗による磨耗粉が発生し得るため、これらの要因により、回転多面鏡１１７ａ、１１７ｂの汚れや曇りが生じ得る。なお、塵埃等には、固体状、液体状の塵埃の他、気化した塵埃原因物質も含む。
【０１０７】
とくに、発明者の研究により、回転多面鏡１１７ａ、１１７ｂの回転によって生じる反射面Ｒa、Ｒｂ表面部分の圧力低下により、サブ筐体１３５内の塵埃等が、この圧力低下した反射面Ｒa、Ｒｂ表面に付着することによっても生じることが明らかとなった。この現象を、図１６に沿って説明する。
【０１０８】
同図（ａ）に示すように、回転多面鏡の回転方向において上流側から、便宜的に、反射面Ｒ１、Ｒ２、Ｒ３が順に並んでいるとすると、回転多面鏡が回転するとき、各反射面Ｒ１、Ｒ２、Ｒ３の、回転方向上流側の部分が、主に風を切ることとなるが、このとき、かかる部分の裏側になる、各反射面Ｒ１、Ｒ２、Ｒ３の、回転方向下流側の部分を中心に、曇り、汚れが発生することを、実験により確認した。
【０１０９】
この曇り、汚れの原因を解明する過程で、回転多面鏡が回転すると、各反射面Ｒ１、Ｒ２、Ｒ３の風を切る部分すなわち各反射面Ｒ１、Ｒ２、Ｒ３の回転方向上流側の部分で空気が外側に押し出され、その裏側すなわち各反射面Ｒ１、Ｒ２、Ｒ３の回転方向下流側の部分が負圧になり、かかる押し出された空気等が反射面Ｒ１、Ｒ２、Ｒ３の上下から供給されることが、回転多面鏡周辺の気流解析シミュレーションで明らかになった。
【０１１０】
つまり、回転多面鏡の上下の空気に含まれる粉塵やガス状の汚染物質が、同図（ｂ）に示すように、反射面Ｒ１、Ｒ２、Ｒ３の負圧部分に集まり、付着し、またガス状の汚染物質の気体から固体への昇華による固化が生じることが、反射面Ｒ１、Ｒ２、Ｒ３の曇り、汚れの原因と推定されるとの結果が得られた。
【０１１１】
図４、図５に示した集塵部１４０は、この結果に基づき、回転体１０１に配設されたものである。すなわち、図５に示すように、集塵部１４０は、回転多面鏡１１７ａ、１１７ｂとともに回転すると表面部分が負圧となる圧力低下部としての負圧面１４１を備え、回転多面鏡１１７ａ、１１７ｂとともに回転するときに負圧面１４１において集塵を行うことで、反射面Ｒａ、Ｒｂに塵埃等が付着することに起因する反射面Ｒａ、Ｒｂの汚れ、曇りを抑制ないし防止するものである。
【０１１２】
図５に示した集塵部１４０は、回転体１０１の回転軸方向において回転多面鏡１１７ａの上側、すなわち回転体１０１の上端側端面である上面位置における、４つの反射面Ｒａの角部すなわち回転多面鏡１１７ａの頂部４ヶ所に形成された凸部によって構成されている。各集塵部１４０は、各凸部の、回転体１０１の回転方向における上流側の端面を負圧面１４１として備えている。また、各凸部の、回転体１０１の回転方向における下流側の端面は、風を切る風切面１４２となっている。
【０１１３】
これにより、回転体１０１の回転時は、各風切面１４２で空気が外側に押し出され、その裏側の各負圧面１４１に周辺塵埃が集まり、各負圧面１４１において集塵が行われる。各負圧面１４１が、回転多面鏡１１７ａの頂部近傍に位置する部分を有するように設けられているため、この部分における各負圧面１４１の圧力低下度が高く、集塵が高効率で行われ、反射面Ｒａ、Ｒｂの汚れ、曇りが効率的に抑制ないし防止される。
【０１１４】
回転軸方向における凸部の高さは、各負圧面１４１に集塵作用が働く程度の圧力低下を生じる高さである１ｍｍ以上であれば良いが、回転負荷、風切りによる騒音が大きくならない範囲とする。
【０１１５】
集塵部１４０の表面のうち、少なくとも負圧面１４１の表面は、電気抵抗率が１×１０１２Ωｍ以上の絶縁材料で形成されている。絶縁材料としてはフッ素樹脂、シリコーン樹脂等の樹脂材料が好適であり、とくにフッ素樹脂が好適である。かかる絶縁表面は、たとえば、スプレー塗装、スピンコート、ディップコート等の湿式成膜法により、集塵部１４０表面の被膜として形成することができる。
【０１１６】
負圧面１４１の表面をこのような絶縁面とするのは次の理由による。通常、塵埃等は空気等との摩擦により帯電しており、集塵部１４０表面の導電性によらず、塵埃の電荷による帯電誘導により負圧面１４１その他集塵部１４０表面に塵埃等が吸着されるが、絶縁材料によって表面を形成すると、この絶縁表面が空気との摩擦で帯電し、高い吸着効果が得られるため、集塵部１４０の少なくとも負圧面１４１表面をかかる絶縁面とするのである。絶縁材料としてフッ素樹脂がとくに好ましいのは、電気抵抗率が１×１０１６Ωｍ以上と大きく、摩擦帯電しやすいためである。
【０１１７】
このような機能を有する集塵部１４０を設けることにより、フィルタ１３９で取りきれなかった塵埃等の汚染物質等があったとしても、かかる汚染物質等は、負圧面１４１に吸着されるため、反射面Ｒａ、Ｒｂが汚れ、曇ることが防止ないし抑制される。集塵部１４０により反射面Ｒａ、Ｒｂの防汚性能に優れているため、フィルタ１３９は集塵性能の高いものである必要がなく、フィルタ特性として圧力損失の小さいフィルタを使用することが可能で、外気誘導による冷却効果を高めることが可能である。トナーに分散されているワックス微粒子がフィルタ１３９をすり抜けても、このワックス微粒子は電気抵抗率が１×１０１４〜１×１０１７Ωｍと高いため、回転体１０１との摩擦により帯電し易く、負圧面１４１によって効率よく吸着される。
【０１１８】
よって、反射面Ｒａ、Ｒｂの汚れ、曇りに加えて、光走査装置８、光偏向器１１７の、回転多面鏡１１７ａ、１１７ｂ、回転体１０１周辺を中心とする温度上昇を良好に抑制可能であり、サブ筐体１３５内あるいはこれに加えてコア筐体１３４内における温度の高低差による温度分布、温度偏差を良好に低減可能であり、また、光走査装置８において、像高位置の違いによる光利用効率の差を小さくすることが可能であることも併せて、被走査面である感光体ドラム２０Ｙ、２０Ｍ、２０Ｃ、２０Ｋ表面上の光ビームの結像位置ずれ、画像劣化を良好に低減可能であり、良好な画像形成が行われる。
【０１１９】
画像形成装置１００のようなカラー画像形成装置では、被走査面上における光ビームの結像位置ずれは色ずれの原因となり画像品質に大きな影響を与えるが、光走査装置８は、反射面Ｒａ、Ｒｂの汚れ、曇りを防止ないし抑制し長寿命化を図りつつ、空気を用いた熱交換により冷却効率を高めることが可能であり、昇温による色ずれが低減ないし防止可能であって、長期にわたる高品質の画像形成が可能となっている。
【０１２０】
なお、図５に示した構成例では、集塵部１４０を４つ有しているが、集塵部１４０は１つ以上設ければ良い。また集塵部１４０は、図５に示した構成例のように凸部で形成しても良いが、後述するように凹部で形成しても良いし、凸部と凹部とを組み合わせて用いても良い。
【０１２１】
図８ないし図１２に、集塵部１４０の形成態様を様々に変更した回転体１０１の構成例を示し、これら各図に沿って、それら各集塵部１４０、回転体１０１を説明する。この説明において、説明の重複を避けるため、当該説明部分より前の説明部分ですでに説明されている事項については、適宜説明を省略する。
【０１２２】
図８に示す回転体１０１において、集塵部１４０は、回転体１０１の回転軸方向から見て、負圧面１４１が辺をなす多角形状、ここでは４つの負圧面１４１が各辺をなす、回転多面鏡１１７ａ、１１７ｂと相似形状である正方形状であり、その回転軸が回転体１０１の回転軸と一致し、回転体１０１の回転方向において回転多面鏡１１７ａ、１１７ｂと同位相となるように、凸部として設けられている。集塵部１４０は、回転軸方向から見て回転多面鏡１１７ａ、１１７ｂより小さい。
【０１２３】
なお、負圧面１４１は、かかる正方形状の各辺のうち、回転体１０１の回転方向における下流側部分の一部によって主に構成されており、同方向における各辺の上流側部分は風切面１４２となっている。
【０１２４】
負圧面１４１が辺をなす多角形状は、３角形、あるいは５角形以上の多角形状であっても良いが、本形態のように、回転多面鏡１１７ａ、１１７ｂの形状と同形状とすれば、回転体１０１の回転方向において回転多面鏡１１７ａ、１１７ｂと同位相となるように設けることで、各負圧面１４１が、回転多面鏡１１７ａの頂部近傍に位置する部分を有するようになる。
また、これに加えて、回転多面鏡１１７ａ、１１７ｂよりわずかに小さな相似形状とすることで、反射面Ｒａ、Ｒｂを形成する鏡面加工の際の障害物とならないとともに、各負圧面１４１での圧力低下も大きくなる。
よって、各負圧面１４１における圧力低下度が高く、集塵が高効率で行われ、反射面Ｒａ、Ｒｂの汚れ、曇りが効率的に抑制ないし防止される。
【０１２５】
図９に示す回転体１０１において、集塵部１４０は、回転体１０１の下端側外周面、具体的にはフランジ１０２ｃの円周凹部１０２ｅの外周部に、回転体１０１の回転中心を中心にして放射状に、等間隔で８つ、凸部として設けられている。
【０１２６】
負圧面１４１は、集塵部１４０の、回転体１０１の回転方向における上流側の面によって構成されており、風切面１４２は、集塵部１４０の、回転体１０１の回転方向における下流側の面によって構成されている。フランジ１０２ｃの円周凹部１０２ｅの外周面の位置は、回転多面鏡１１７ａ、１１７ｂの回転半径よりも大きく、集塵部１４０の回転速度言い換えると周速が大きいため、負圧面１４１の圧力低下が大きく集塵効果が高い。
【０１２７】
集塵部１４０の、フランジ１０２ｃの円周凹部１０２ｅの外周面に対する高さは、各負圧面１４１に集塵作用が働く程度の圧力低下を生じる高さである１ｍｍ以上であれば良いが、回転負荷、風切りによる騒音が大きくならない範囲とする。
【０１２８】
図１０に示す回転体１０１において、集塵部１４０は、図９に示した集塵部１４０と同様の位置、すなわち、回転体１０１の下端側外周面、具体的にはフランジ１０２ｃの円周凹部１０２ｅの外周部に、回転体１０１の回転中心を中心にして放射状に、等間隔で８つ、凹部として設けられている。
【０１２９】
負圧面１４１は、集塵部１４０の凹形状の部分のとくに回転体１０１の回転方向における下流側の部分によって構成されており、風切面１４２は、集塵部１４０の凹形状の部分のとくに回転体１０１の回転方向における上流側の部分及びフランジ１０２ｃの円周凹部１０２ｅの外周面における集塵部１４０相互間の部分によって構成されている。回転体１０１の回転方向において、集塵部１４０の凹形状の部分の長さは、この凹形状相互間の部分の長さよりも長いため、また、フランジ１０２ｃの円周凹部１０２ｅの外周面の位置は、回転多面鏡１１７ａ、１１７ｂの回転半径よりも大きく、集塵部１４０の回転速度言い換えると周速が大きいため、負圧面１４１の圧力低下が大きく集塵効果が高い。
【０１３０】
図１１に示す回転体１０１において、集塵部１４０は、図５に示した集塵部１４０と同様の上面位置、及び、フランジ１０２ｃの円周凹部１０２ｅに対応する平面位置に、凸部として設けられている。各集塵部１４０は、これらの位置に、樹脂接着材料を接着固定することで設けられている。具体的に、各集塵部１４０は、たとえば、比較的粘度の高い紫外線硬化型の樹脂接着材料をかかる箇所に滴下し、紫外線を照射することで、ドーム状に形成して形成される。
【０１３１】
集塵部１４０は、バランス修正用の不釣合い修正用のおもりとしての機能を兼ねている。すなわち、たとえば、回転体１０１のバランス測定を行い、複数箇所で修正する場合は修正位置における分力計算を行い、接着面である上述の上面位置、平面位置に対する高さとして概ね１ｍｍ以上を確保した上で、バランス修正量に応じた分を追加して樹脂接着材料を接着固定すれば、集塵部１４０とバランス修正の機能を兼ねることとなる。回転多面鏡１１７ａ、１１７ｂを含む回転体１０１のバランス修正では、通常２面での修正が必要であり、回転多面鏡１１７ａ、１１７ｂを中間にして、上下のバランス修正面と合わせて、集塵部１４０も回転体１０１の上下両方すなわちたとえば本構成例のように上面位置及び平面位置に設ければ集塵効果も高く好都合である。
【０１３２】
図５、図８、図９、図１０に示した構成例においても、本構成例のように、回転体１０１の上下両方に集塵部１４０を設けても良い。また、上下それぞれに設ける集塵部１４０の形状は、以上述べた集塵部１４０及び次に述べる集塵部１４０の種々の形状を組み合わせて用いることが可能である。
【０１３３】
図１２に示す回転体１０１は、回転多面鏡１１７ａ、１１７ｂがそれぞれ、６つの反射面Ｒａ、Ｒｂを同位相で有しており、集塵部１４０は、回転多面鏡１１７ａの上側において一体化された回転多面鏡１１７ａと同様の形状の板状部材１４３の、６つの反射面Ｒａの角部すなわち回転多面鏡１１７ａの頂部６ヶ所に対応する位置を、折り曲げることによって形成された凸部によって構成されている。
【０１３４】
板状部材１４３は、回転多面鏡１１７ａ、１１７ｂを固定する付勢手段である板バネ部材としての押さえばねたる機能を付加されている。すなわち、回転軸１０４の上端部に図示しない溝を設け、フランジ１０２ｃに回転多面鏡１１７ａ、１１７ｂを載置し、板状部材１４３を回転軸方向に弾性変形させて、図示しない止め輪を溝部に固定することで、板状部材１４３の弾性力により、回転多面鏡１１７ａ、１１７ｂを回転軸方向に押えて固定している。
【０１３５】
以上述べたように、回転体１０１は、回転軸方向において回転多面鏡１１７ａ、１１７ｂを中心にして、その上側および／または下側の表面に、回転多面鏡１１７ａ、１１７ｂに隣り合うように、言い換えると隣設する態様で、不連続面で構成された負圧面１４１を備えた集塵部１４０を設け、周辺塵埃を吸着することで、回転多面鏡１１７ａ、１１７ｂの周辺の空気が清浄化され、反射面Ｒａ、Ｒｂの曇り汚れを抑制ないし防止し、反射率低下を防止して、長寿命化、高画質化が図られている。
【０１３６】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【０１３７】
たとえば、図１３に示すように、回転体１０１は、１つの回転多面鏡１１７ａを有するものであっても良い。同図に示した符号は、図１２に同じ符号により示してすでに説明した部材を示している。
【０１３８】
上述の形態では、光源から複数のビームを回転多面鏡に入射させ、回転多面鏡を含む光学系によって複数のビームを被走査面に互いに隣接するように導いて被走査面の走査を行って、潜像の書き込みを行なうマルチビーム方式を採用したが、光源から単一のビームを回転多面鏡に入射させ、回転多面鏡を含む光学系によって単一のビームを被走査面に導いて被走査面の走査を行って、潜像の書き込みを行なうシングルビーム方式を採用しても良い。
【０１３９】
画像形成装置は、いわゆるタンデム方式の画像形成装置ではなく、１つの感光体ドラム上に順次各色のトナー像を形成して各色トナー像を順次重ね合わせてカラー画像を得るいわゆる１ドラム方式の画像形成装置にも同様に適用することができる。
【０１４０】
画像形成装置は、モノカラー画像のみを形成可能なものであっても良い。
たとえば、図１３に示した回転体１０１を、図１４に示す光偏向器１１７及びこれを有する光走査装置８に配設し、この光走査装置８を、１つの像担持体としての感光体ドラム２０を備えモノカラーのみの画像形成を行うモノカラー画像形成装置に搭載することが可能である。なお、図１４に示した符号は、すでに説明した部材を示す符号と同一か、すでに説明した部材を示す符号からカラーを示すアルファベットであるＹ、Ｍ、Ｃ、Ｋを除外した符号であって、これらの符号によってすでに説明した部材を示している。
【０１４１】
いずれのタイプの画像形成装置でも、中間転写体を用いず、各色のトナー像を転写紙Ｓ等のシートに直接転写しても良い。この場合、複数の像担持体上のトナー像は、シートがたとえば搬送ベルトによって搬送される過程で、直接、同シートに転写される。
【０１４２】
画像形成装置は、複写機、プリンタ、ファクシミリの複合機でなく、これらの単体であっても良いし、その他、複写機とプリンタとの複合機等の他の組み合わせの複合機であっても良い。
【０１４３】
本発明の実施の形態に記載された効果は、本発明から生じる最も好適な効果を列挙したに過ぎず、本発明による効果は、本発明の実施の形態に記載されたものに限定されるものではない。
【符号の説明】
【０１４４】
８    光走査装置
２０、２０Ｙ、２０Ｍ、２０Ｃ、２０Ｋ    像担持体
１００    画像形成装置
１０１    回転体
１０４    回転軸
１１１、１１１’    光源
１１７    光偏向装置
１１７ａ、１１７ｂ    回転多面鏡
１３７ａ    空気流入口
１３９    フィルタ
１４０    集塵部
１４１    負圧面
Ｌ、ＬＹ、ＬＭ、ＬＣ、ＬＫ    ビーム
【先行技術文献】
【特許文献】
【０１４５】
【特許文献１】特開２００８−３３１３５号公報
【特許文献２】特開平１−１９６０１８号公報
【特許文献３】特許第３１９２２７１号公報
【特許文献４】特開２００１−２３８３９２号公報
【特許文献５】特開２００４−１２５８９０号公報
【特許文献６】特開２００２−１３１６８２号公報
【特許文献７】特開２００８−７０６５８号公報
【図１】
2011107276.tif 000003
【図２】
2011107276.tif 000004
【図３】
2011107276.tif 000005
【図４】
2011107276.tif 000006
【図５】
2011107276.tif 000007
【図６】
2011107276.tif 000008
【図７】
2011107276.tif 000009
【図８】
2011107276.tif 000010
【図９】
2011107276.tif 000011
【図１０】
2011107276.tif 000012
【図１１】
2011107276.tif 000013
【図１２】
2011107276.tif 000014
【図１３】
2011107276.tif 000015
【図１４】
2011107276.tif 000016
【図１５】
2011107276.tif 000017
【図１６】
2011107276.tif 000018